【手続補正書】
【提出日】平成18年10月18日(2006.10.18)
【手続補正１】
【補正対象書類名】明細書
【補正対象項目名】特許請求の範囲
【補正方法】変更
【補正の内容】
【特許請求の範囲】
【請求項１】  軸と、軸方向に間隔をおいた第１および第２の端と、該第１および第２の端の間の所定幅とを有するマスキング材からなるロールであって、マスキング材の前記ロールは、コイル状の細長いシートを具備し、前記シートは、対向する第１および第２の細長い縁を有し、前記細長い縁とともに前記シートの長手方向に延在する部分の縁を形成する長手方向の折り目を有し、前記シートの前記長手方向に延在する部分は、前記シートのプリーツ部分を含み、その各々は前記軸に略平行な対向する主面を有し、前記プリーツ部分は、ラミネートを形成するべく主面に対する重ね合わされた主面であり、前記重ね合わされたプリーツ部分の最も外側のものが、前記ラミネートの対向する外側表面を形成し、前記重ね合わされたプリーツ部分の少なくともいくつかの縁は、前記ロールの前記第１の端で略半径方向に整列して位置決めされ、前記シートの前記長手方向に延在する部分は、さらに、前記ロールの前記第１の端で一方の最も外側のプリーツ部分の縁から前記ロールの前記第１の端で半径方向に整列した縁に沿ってロールの半径方向に延在する第１の半径方向の部分と、前記シートの前記第１の細長い縁を有する第１の遠位部分であって、前記第１の半径方向の部分が取り付けられている前記最も外側のプリーツ部分の反対側の前記第１の半径方向の部分の縁から前記ロールの第２の端へ向けて前記ラミネートの前記外側表面に沿って前記所定幅より小さい距離を延在する第１の遠位部分と、を含むマスキング材からなるロールにして、
前記第１の半径方向の部分が取り付けられる前記最も外側のプリーツ部分の一方は、前記ラミネートの前記最も外側のプリーツ部分の他方から前記ロールの半径方向に外側に配置される、マスキング材からなるロール。
【請求項２】  軸と、軸方向に間隔をおいた第１および第２の端と、該第１および第２の端の間の所定幅とを有するマスキング材からなるロールであって、マスキング材の前記ロールは、コイル状の細長いシートを具備し、前記シートは、対向する第１および第２の細長い縁を有し、前記細長い縁とともに前記シートの長手方向に延在する部分の縁を形成する長手方向の折り目を有し、前記シートの前記長手方向に延在する部分は、前記シートのプリーツ部分を含み、その各々は前記軸に略平行な対向する主面を有し、前記プリーツ部分は、ラミネートを形成するべく主面に対する重ね合わされた主面であり、前記重ね合わされたプリーツ部分の最も外側のものが、前記ラミネートの対向する外側表面を形成し、前記重ね合わされたプリーツ部分の少なくともいくつかの縁は、前記ロールの前記第１の端で略半径方向に整列して位置決めされ、前記シートの前記長手方向に延在する部分は、さらに、前記ロールの前記第１の端で一方の最も外側のプリーツ部分の縁から前記ロールの前記第１の端で半径方向に整列した縁に沿ってロールの半径方向に延在する第１の半径方向の部分と、前記第１の半径方向の部分が取り付けられている前記最も外側のプリーツ部分の反対側の前記第１の半径方向の部分の縁から前記ロールの第２の端へ向けて前記所定幅より小さい距離を延在する第１の遠位部分と、を含むマスキング材からなるロールにして、
前記第１の半径方向の部分の反対側の前記第１の末端部の端は、シートの前記第１の細長の端であり、
前記シートの前記第２の細長い縁は、前記第１の半径方向のプリーツが取り付けられる前記最も外側のプリーツ部分の反対側の前記最も外側のプリーツ部分の前記ロールの前記第１の端に隣接する縁であり、前記第１の遠位部分に沿った前記シートの前記第１の細長い縁は、前記シートの前記第２の細長い縁に分離可能に取り付けられている、マスキング材からなるロール。
【請求項３】  軸と、軸方向に間隔をおいた第１および第２の端と、該第１および第２の端の間の所定幅とを有するマスキング材からなるロールであって、マスキング材の前記ロールは、コイル状の細長いシートを具備し、前記シートは、対向する第１および第２の細長い縁を有し、前記細長い縁とともに前記シートの長手方向に延在する部分の縁を形成する長手方向の折り目を有し、前記シートの前記長手方向に延在する部分は、前記シートのプリーツ部分を含み、その各々は前記軸に略平行な対向する主面を有し、前記プリーツ部分は、ラミネートを形成するべく主面に対する重ね合わされた主面であり、前記重ね合わされたプリーツ部分の最も外側のものが、前記ラミネートの対向する外側表面を形成し、前記重ね合わされたプリーツ部分の少なくともいくつかの縁は、前記ロールの前記第１の端で略半径方向に整列して位置決めされ、前記シートの前記長手方向に延在する部分は、さらに、前記ロールの前記第１の端で一方の最も外側のプリーツ部分の縁から前記ロールの前記第１の端で半径方向に整列した縁に沿ってロールの半径方向に延在する第１の半径方向の部分と、前記シートの前記第１の細長い縁を有する第１の遠位部分であって、前記第１の半径方向の部分が取り付けられている前記最も外側のプリーツ部分の反対側の前記第１の半径方向の部分の縁から前記ロールの第２の端へ向けて前記ラミネートの前記外側表面に沿って前記所定幅より小さい距離を延在する第１の遠位部分と、を含むマスキング材からなるロールにして、
前記第１の半径方向の部分の反対側の前記第１の末端部の端は、シートの前記第１の細長の端であり、
前記ラミネートの前記プリーツ部分は、前記ロールの前記第２の端に略半径方向に整列した前記プリーツ部分の少なくともいくつかの縁と共に位置決めされており、前記シートの前記長手方向に延在する部分は、さらに、前記ロールの前記第２の端で前記半径方向に整列した縁に沿ってロールの半径方向に前記ロールの前記第２の端で一方の最も外側のプリーツ部分の縁から延在する第２の半径方向の部分と、前記第２の半径方向の部分が取り付けられている前記最も外側のプリーツの反対側の前記第２の半径方向の部分の縁から前記ロールの第１の端へ向けて前記ラミネートの前記外側表面に沿って前記所定幅よりも小さい距離を延在する第２の遠位部分と、を含み、
前記第２の半径方向の部分の反対側の第２の末端部の端は、シートの前記細長の端である、マスキング材からなるロール。
【請求項４】  軸と、軸方向に間隔をおいた第１および第２の端とを有するマスキング材からなるロールであって、マスキング材の前記ロールは、コイル状の細長いシートを具備し、前記シートは、対向する第１および第２の細長い縁を有し、前記細長い縁とともに前記シートの長手方向に延在する部分の縁を形成する長手方向の折り目を有し、前記シートの前記長手方向に延在する部分は、前記シートのプリーツ部分を含み、その各々は前記軸に略平行な対向する主面を有し、前記プリーツ部分は、主面に対する重ね合わされた主面であり、これによりラミネートを形成し、前記重ね合わされたプリーツ部分の最も外側のものが、前記ラミネートの対向する外側表面を形成し、前記シートの前記第１の細長い縁は前記ロールの前記第１の端にあり、前記重ね合わされたプリーツ部分の少なくともいくつかの縁は、前記ロールの前記第１の端で略半径方向に整列して位置決めされ、前記シートの前記第１の細長い縁を支持し、前記縁の間に前記ラミネートを形成する前記プリーツ部分の前記シート材料の幅の少なくとも７５パーセントは、前記第１の端から前記ロールの軸方向長さの２／３以内にある、マスキング材からなるロール。
【請求項５】  軸と、軸方向に間隔をおいた第１および第２の端とを有するマスキング材からなるロールであって、マスキング材の前記ロールは、コイル状の細長いシートを具備し、前記シートは、対向する第１および第２の細長い縁を有して前記縁を手で分離することができるように弱線に沿って結合されており、前記細長い縁とともに前記シートの長手方向に延在する部分の縁を形成する長手方向の折り目を有する、マスキング材からなるロール。
【請求項６】  マスキング材からなるロールを形成するための方法であって、
長手方向軸を有するポリマー材料製の細長いチューブを押し出すステップと、
前記チューブに沿って長手方向に弱線を形成して、マスキング材のシートに手で分離することができる第１および第２の細長い縁を形成するステップと、
ポリマー材料製の前記チューブを長手方向に折り曲げて、前記細長い縁とともに、前記シートの長手方向に延在する部分の縁を形成するステップと、
前記長手方向に折り曲げられたチューブを前記ロール内にコイル状にするステップと、
を含む方法。